(57)【要約】【課題】自立可能な充電式電動工具を得る。【解決手段】この充電式電動工具１０は、駆動源となるモータ３１を収納するハウジング１１と、ハウジング１１の一端側に着脱自在に設置可能であるとともに、モータ３１からの駆動力によって駆動される平板状の先端工具５５と、ハウジング１１における先端工具５５の設置側とは逆側に着脱自在に設置可能であるとともに、装着時においてモータ３１に対する駆動電力の供給を行うバッテリパック６１と、を備えるものであって、先端工具５５が下側になるように水平面に載置したときに、当該充電式電動工具１０が自立するように構成される。【選択図】図１
2016215348.tif 000002
【特許請求の範囲】
【請求項１】
駆動源となるモータを収納するハウジングと、
前記ハウジングの一端側に着脱自在に設置可能であるとともに、前記モータからの駆動力によって駆動される平板状の先端工具と、
前記ハウジングにおける前記先端工具の設置側とは逆側に着脱自在に設置可能であるとともに、装着時において前記モータに対する駆動電力の供給を行うバッテリパックと、
を備える充電式電動工具であって、
前記先端工具が下側になるように水平面に載置したときに、当該充電式電動工具が自立するように構成されることを特徴とする充電式電動工具。
【請求項２】
請求項１に記載の充電式電動工具において、
前記バッテリパックが下側になるように水平面に載置したときにも、当該充電式電動工具が自立するように構成されることを特徴とする充電式電動工具。
【請求項３】
請求項１に記載の充電式電動工具において、
前記バッテリパックの装着時・取り外し時のいずれの場合であっても、前記先端工具が下側になるように水平面に載置したときに当該充電式電動工具が自立するように構成されることを特徴とする充電式電動工具。
【請求項４】
請求項１〜３のいずれか１項に記載の充電式電動工具において、
前記ハウジングには、操作者からの把持を受けるためのメインハンドルが固定設置されるとともに、前記ハウジングに対して着脱自在に設けられる補助ハンドルを設置可能であることを特徴とする充電式電動工具。
【請求項５】
請求項１〜４のいずれか１項に記載の充電式電動工具において、
前記バッテリパックを覆うように着脱自在に設けられるとともに耐熱性を備えるバッテリカバーを有することを特徴とする充電式電動工具。
【請求項６】
請求項５に記載の充電式電動工具において、
前記バッテリカバーには、前記バッテリパックが下側となるように水平面に載置したときに当該バッテリカバーと載置面とが面接触しないようにするための突起部が設けられていることを特徴とする充電式電動工具。
【発明の詳細な説明】
【技術分野】
【０００１】
本発明は、充電式電動工具に係り、特に、ワークを加工するための先端工具を備える充電式電動工具に関するものである。
【背景技術】
【０００２】
従来から、回転運動によりワークを加工する電動工具が知られている。例えば、下記特許文献１には、駆動源となるモータからの回転駆動力を受けて、研磨要素を備える作動装置を回転させることにより、ワークの表面を研削仕上げすることができる電気式研磨ガンが開示されている。
【先行技術文献】
【特許文献】
【０００３】
【特許文献１】特開２００９−２２０２０２号公報
【発明の概要】
【発明が解決しようとする課題】
【０００４】
上掲の特許文献１に記載の電気式研磨ガンは、加工作業を中断するときなどに、例えば床面等に当該電気式研磨ガンを載置する場合、当該電気式研磨ガンの重量バランスから電気式研磨ガン本体と作業装置の側面が床面等に接触して載置されることとなる。すなわち、上掲の特許文献１に記載の電気式研磨ガンは、自立して載置することができないという課題があった。
【０００５】
そのため、上掲の特許文献１に記載の電気式研磨ガンは、ワークが例えば加熱された鉄板等である場合、加工作業中に作業者が誤って電気式研磨ガンから手を離してしまったときには、電気式研磨ガンは倒れて電気式研磨ガン本体と作業装置の側面が加熱された鉄板に接触してしまい、電気式研磨ガンが破損してしまう虞があった。
【０００６】
また特に、電動工具の電源が、リチウムイオン電池などを使用する充電式のバッテリパックなどの場合には、ワークからの熱は極力避けなければならない。しかしながら、従来の電動工具では、自立して載置することができないために、上記のように電動工具が倒れてしまった場合に、バッテリパックがワークからの熱を避けられないといった課題が存在していた。したがって、高熱のワークであっても、安全に加工作業をすることができる自立可能な充電式電動工具の実現が望まれていた。
【０００７】
本発明は、上述した問題点に鑑みて成されたものであり、その目的は、自立可能な充電式電動工具を提供することにある。
【課題を解決するための手段】
【０００８】
以下、本発明について説明する。なお、本発明の理解を容易にするために添付図面の参照番号を括弧書きにて付記するが、それにより本発明が図示の形態に限定されるものではない。
【０００９】
本発明に係る充電式電動工具（１０，１００，２００）は、駆動源となるモータ（３１）を収納するハウジング（１１，１１１，２１１）と、前記ハウジング（１１，１１１，２１１）の一端側に着脱自在に設置可能であるとともに、前記モータ（３１）からの駆動力によって駆動される平板状の先端工具（５５）と、前記ハウジング（１１，１１１，２１１）における前記先端工具（５５）の設置側とは逆側に着脱自在に設置可能であるとともに、装着時において前記モータ（３１）に対する駆動電力の供給を行うバッテリパック（６１）と、を備えるものであって、前記先端工具（５５）が下側になるように水平面に載置したときに、当該充電式電動工具（１０，１００，２００）が自立するように構成されることを特徴とするものである。
【００１０】
また、本発明に係る充電式電動工具（１０，１００，２００）は、前記バッテリパック（６１）が下側になるように水平面に載置したときにも、当該充電式電動工具（１０，１００，２００）が自立するように構成されることとすることができる。
【００１１】
さらに、本発明に係る充電式電動工具（１０，１００，２００）は、前記バッテリパック（６１）の装着時・取り外し時のいずれの場合であっても、前記先端工具（５５）が下側になるように水平面に載置したときに当該充電式電動工具（１０，１００，２００）が自立するように構成されることとすることができる。
【００１２】
またさらに、本発明に係る充電式電動工具（１０，１００，２００）において、前記ハウジング（１１，１１１，２１１）には、操作者からの把持を受けるためのメインハンドル（１３）が固定設置されるとともに、前記ハウジング（１１，１１１，２１１）に対して着脱自在に設けられる補助ハンドル（２１）を設置可能であることとすることができる。
【００１３】
また、本発明に係る充電式電動工具（１０，１００，２００）は、前記バッテリパック（６１）を覆うように着脱自在に設けられるとともに耐熱性を備えるバッテリカバー（６３，１６３）を有することとすることができる。
【００１４】
さらに、本発明に係る充電式電動工具（１０，１００，２００）は、前記バッテリカバー（６３，１６３）には、前記バッテリパック（６１）が下側となるように水平面に載置したときに当該バッテリカバーと載置面とが面接触しないようにするための突起部（６５，１６５）が設けられていることとすることができる。
【発明の効果】
【００１５】
本発明によれば、自立可能な充電式電動工具を提供することができる。
【図面の簡単な説明】
【００１６】
【図１】本実施形態に係る充電式研磨機の外観を示す側面図である。
【図２】本実施形態に係る充電式研磨機の外観を示す平面図である。
【図３】本実施形態に係る充電式研磨機の外観を示す正面図である。
【図４】本実施形態に係る充電式研磨機の部分縦断面図である。
【図５】本実施形態に係るバッテリパックを示す図であり、図５中の分図（ａ）は、本実施形態に係るバッテリパックを示す平面図であり、図５中の分図（ｂ）は、本実施形態に係るバッテリパックの背面図であり、図５中の分図（ｃ）は、本実施形態に係るバッテリパックの底面図であり、さらに、図５中の分図（ｄ）は、本実施形態に係るバッテリパックの側面図である。
【図６】本実施形態に係る充電式研磨機の伝達機構を説明するための図である。
【図７】本実施形態に係る補助ハンドルの外観を示す図である。
【図８】本実施形態に係る補助ハンドルの構成を説明するための図である。
【図９】本実施形態に係る補助ハンドルの構成を説明するための断面図である。
【図１０】本実施形態に係るバッテリカバーの変形例を示す図である。
【図１１】第一の変形例に係る充電式電動工具の外観を示す図であり、図１１中の分図（ａ）は、第一の変形例に係る充電式電動工具の外観を示す平面図であり、図１１中の分図（ｂ）は、第一の変形例に係る充電式電動工具の外観を示す側面図である。
【図１２】第二の変形例に係る充電式電動工具の外観を示す図であり、図１２中の分図（ａ）は、第二の変形例に係る充電式電動工具の外観を示す平面図であり、図１２中の分図（ｂ）は、第二の変形例に係る充電式電動工具の外観を示す側面図である。
【発明を実施するための形態】
【００１７】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００１８】
まず、本実施形態に係る充電式電動工具としての充電式研磨機１０の構成例について、図を用いて説明する。ここで、図１は、本実施形態に係る研磨機の外観を示す側面図であり、図２は、本実施形態に係る充電式研磨機の外観を示す平面図であり、さらに、図３は、本実施形態に係る外観を示す正面図である。また、図４は、本実施形態に係る充電式研磨機の部分縦断面図である。さらに、図５は、本実施形態に係るバッテリパックを示す図であり、図５中の分図（ａ）は、本実施形態に係るバッテリパックを示す平面図であり、図５中の分図（ｂ）は、本実施形態に係るバッテリパックの背面図であり、図５中の分図（ｃ）は、本実施形態に係るバッテリパックの底面図であり、さらに、図５中の分図（ｄ）は、本実施形態に係るバッテリパックの側面図である。また、図６は、本実施形態に係る充電式研磨機の伝達機構を説明するための図である。さらに、図７は、本実施形態に係る補助ハンドルの外観を示す図であり、図８は、本実施形態に係る補助ハンドルの構成を説明するための図であり、さらに、図９は、本実施形態に係る補助ハンドルの構成を説明するための断面図である。
【００１９】
［本実施形態に係る充電式研磨機１０］
図１ないし図４に示すように、本実施形態に係る充電式研磨機１０は、駆動源となるモータ３１を収納するハウジング１１と、操作者からの把持を受けるためのメインハンドル１３と、モータ３１からの駆動力によって駆動される平板状の先端工具５５を取付けるための先端工具取付け部５０と、装着時においてモータ３１に対する駆動電力の供給を行うバッテリパック６１と、を有して構成される。
【００２０】
ハウジング１１の一端側には、先端工具５５を着脱自在に取付けるための先端工具取付け部５０が配置され、ハウジング１１の他端側には、モータ３１に対する駆動電力の供給を行うバッテリパック６１が着脱自在に配置される。ハウジング１１には、操作者からの把持を受けるためのメインハンドル１３が固定設置される。また、ハウジング１１には、後述するハウジング１１内に外気を吸引するための吸引口１７および吸引された外気を排出するための排出口１９が形成される。
【００２１】
先端工具取付け部５０は、後述するモータ３１の駆動力からの回転駆動力を伝達するための動力伝達機構に接続される。
【００２２】
図５に示すバッテリパック６１は、装着時においてモータ３１に対する駆動電力の供給を行うためのものである。ハウジング１１内には、バッテリパック６１に充電された駆動電力をモータ３１に対して供給することができるように、不図示の電線が形成される。本実施形態に係るバッテリパック６１は、充電式研磨機１０のメインハンドル１３の延長方向に向けて（より具体的には、図１における紙面上側から紙面下側に向けて）スライドさせて差し込むことで装着されるようになっている。また、本実施形態に係るバッテリパック６１は、着脱自在に設けられるとともに耐熱性を備えるバッテリカバー６３によって覆われている。本実施形態に係るバッテリカバー６３は、特に限定されないが、シリコンゴム製のものを用いることが好適である。そして、バッテリカバー６３には、バッテリパック６１が下側となるように水平面に載置したときに、当該バッテリカバー６３と載置面とが面接触しないようにするための突起部６５が形成されている。
【００２３】
メインハンドル１３は、操作者から把持を受けるためのものであり、メインハンドル１３を把持した操作者からのオン／オフ操作を受けることでモータ３１の回転駆動を操作可能とするトリガースイッチ１５を有して構成される。操作者がトリガースイッチ１５を指等で引いてオン操作をすることにより、トリガースイッチ１５がスイッチ本体１６と電気的に接続し、バッテリパッック６１に充電された駆動電力がモータ３１に供給される。また、操作者がトリガースイッチ１５から指を放すと、トリガースイッチ１５が図示しないバネ力により自動的にオフ位置に戻るので、トリガースイッチ１５とスイッチ本体１６との電気的な接続が解除され、バッテリパック６１からモータ３１への電力供給が停止される。
【００２４】
図４および図６に示すように、ハウジング１１の内部には、モータ３１が収納されるとともにモータ３１の駆動力を先端工具取付け部５０に伝達するための動力伝達機構が配置される。
【００２５】
モータ３１は、モータ軸３２と、モータ軸３２を支持する軸受３３ａ，３３ｂと、モータ３１を冷却するための冷却ファン３４とを備える。モータ３１の回転駆動力によって、軸受３３ａ，３３ｂに支持されたモータ軸３２と冷却ファン３４が回転する。この冷却ファン３４により、ハウジング１１に形成される吸引口１７から外気が吸引され、吸引口１７から吸引された外気が冷却風としてハウジング１１内を通過することでモータ３１は冷却され、モータ３１を冷却した冷却風はハウジング１１に形成される排出口１９から排出されることとなる。
【００２６】
本実施形態に係る排出口１９は、冷却風がハウジング１１の側方ではなくハウジング１１の斜め正面方向（例えば、図１における紙面右斜め上方向）に排出されるように構成されている。このような構成により、本実施形態に係る充電式研磨機１０は、排出口１９から排出される冷却風が操作者に直接的に当たることを防ぐことができるようになっており、操作者は快適に作業をすることができる。
【００２７】
本実施形態に係る動力伝達機構は、図４および図６に示すように、遊星歯車機構３５を備えて構成される。モータ３１の駆動によってモータ軸３２が回転駆動すると、その回転駆動力は、遊星歯車機構３５を介して回転体３９に伝達され、回転体３９を回転することとなる。
【００２８】
回転体３９の先端側には、先端工具５５を取り付けるための先端工具取付け部５０が設置されており、また、回転体３９の周囲には、ニードルベアリング等の軸受４０を介してギアケース４１が設置される。先端工具取付け部５０には、先端工具５５のビット５６を挿入し保持するためのビット保持機構が形成されている。なお、このビット保持機構には、例えばボールプランジャー等の従来公知の機構を用いることができる。
【００２９】
また、本実施形態に係る充電式研磨機１０には、ハウジング１１に対して着脱自在に設けられる補助ハンドル２１を設置することができるようになっている。図７ないし図９に示すように、補助ハンドル２１は、操作者が把持するための把持部２２と、把持部２２内に設置されるネジ２３と、このネジ２３に螺合するネジ軸２４と、ハウジング１１に対して嵌め込むことのできる環状のベルト部２５と、ベルト部２５が嵌め込まれた際にハウジング１１表面を押圧することのできる押圧部２７と、から構成される。
【００３０】
補助ハンドル２１を設置する場合には、最初にハウジング１１に対して環状のベルト部２５を嵌め込む。そして、補助ハンドル２１を所望の位置に移動させた後、把持部２２を時計回りに回転させる。このとき、本実施形態に係る補助ハンドル２１では、ネジ２３が把持部２２に対して一体に固定されているので、把持部２２を時計回りに回転させると、ネジ２３も把持部２２と共に時計回りに回転することとなる。ネジ２３が時計回りに回転することで、このネジ２３に螺合するネジ軸２４が把持部２２側に引き込まれる。かかる動作によって、樹脂から成る押圧部２７がハウジング１１表面を押圧し、補助ハンドル２１がハウジング１１に対して確実に固定されることとなる。
【００３１】
一方、補助ハンドル２１を取り外す又は移動させる場合には、把持部２２を反時計回りに回すことによってネジ２３を先程とは逆回転させることでネジ軸２４をベルト部２５側に移動させ、ハウジング１１表面に対する押圧部２７の押圧を解除し、補助ハンドル２１を取り外す又は移動させることができる。このような構成により、補助ハンドル２１は、ハウジング１１に対して所望の位置で固定することができるとともに、容易に取り外すことができるようになっている。
【００３２】
したがって、本実施形態に係る充電式研磨機１０によれば、操作者の嗜好や作業環境に応じて補助ハンドル２１を任意の位置に設置することができるので、作業性を向上させることができる。また、補助ハンドル２１をメインハンドル１３と同じ方向となるように移動させて固定することで、充電式研磨機１０の外郭形状を最小化することができる。つまり、本実施形態に係る補助ハンドル２１の機能によって、充電式研磨機１０の保管場所を省スペース化することができるようになっている。
【００３３】
さらに、本実施形態に係る充電式研磨機１０では、ハウジング１１の一端側に先端工具５５が配置され、ハウジング１１の他端側にモータ３１に対する駆動電力の供給を行うバッテリパック６１が配置されており、モータ３１とバッテリパック６１とが直列配置されることによって、バッテリパック６１の装着時・取り外し時のいずれの場合であっても、先端工具５５が下側になるように水平面に載置したときには、当該充電式研磨機１０がバランスを崩すことなく自立することができるようになっている。したがって、本実施形態に係る充電式研磨機１０の操作者が、例えば研磨加工作業中に当該充電式研磨機１０から手を離してしまった場合であっても、本実施形態に係る充電式研磨機１０は安定して自立することができるようになっている。
【００３４】
また、本実施形態に係る充電式研磨機１０は、上述した構成を有していることによって、バッテリパック６１が下側となるように水平面に載置したときにも、当該充電式研磨機１０は自立するようになっている。
【００３５】
さらに、本実施形態に係る充電式研磨機１０は、モータ軸３２の延長線上にバッテリパック６１が配置されていることによって、当該充電式研磨機１０の操作者がワークの研磨加工作業を行うときに、操作者は先端工具５５としての研磨パッドをワークに押し付け易いようになっており、安定して研磨加工作業を行うことができるようになっている。すなわち、本実施形態に係る充電式研磨機１０は、上述した構成によって容易に安定して当該充電式研磨機１０を下に（ワーク側に）押し付けることができるように設計されている。
【００３６】
また、本実施形態に係る充電式研磨機１０では、バッテリパック６１が耐熱性を備えるバッテリカバー６３によって覆われることによって、バッテリパック６１が例えば高熱のワークに直接的に接触することを防ぐことができるようになっている。
【００３７】
さらに、本実施形態に係る充電式研磨機１０は、バッテリパック６１が下側となるように載置しときにバッテリカバー６３と載置面とが面接触しないようにするための突起部６５が形成されていることによって、例えば高熱のワーク上にバッテリパック６１が下側となって載置された場合であっても、まず初めに高熱のワークと突起部６５とが接触するので、バッテリパック６１が直ちに高熱のワークと接触することを防ぐことができるようになっている。
【００３８】
このような構成により、本実施形態に係る充電式研磨機１０によれば、例えば高熱のワークであっても、安全に加工作業をすることができるようになっている。
【００３９】
以上、本実施形態に係る充電式研磨機１０の構成例について、説明した。次に、本実施形態に係る充電式研磨機１０の動作例について、説明する。
【００４０】
操作者がワークの研磨加工作業を開始する場合、操作者がメインハンドル１３等を把持し、トリガースイッチ１５を引いてオン操作をすることにより、トリガースイッチ１５がスイッチ本体１６と電気的に接続し、バッテリパッック６１に充電された駆動電力がモータ３１に供給される。駆動電力が供給されることによってモータ３１は作動し、モータ３１の回転駆動力によって、軸受３３ａ，３３ｂに支持されたモータ軸３２と冷却ファン３４が回転する。この冷却ファン３４の回転により、ハウジング１１に形成される吸引口１７から外気が吸引され、吸引口１７から吸引された外気が冷却風としてハウジング１１内を通過することでモータ３１は冷却され、モータ３１を冷却した冷却風はハウジング１１に形成される排出口１９から排出されることとなる。また、モータ３１の駆動によってモータ軸３２が回転駆動すると、その回転駆動力は、遊星歯車機構３５を介して回転体３９に伝達され、回転体３９を回転する。回転体３９の先端側には、先端工具取付け部５０が設置されており、この先端工具取付け部５０には、先端工具５５のビット５６が挿入保持されているので、回転体３９の回転駆動により回転体３９に設置された先端工具５５としての研磨パッドも回転することとなる。先端工具５５としての研磨パッドをワークに対して押し付けていくことにより、ワークの研磨加工を行うことができる。
【００４１】
また、操作者がワークの研磨加工作業を終了する場合には、操作者はトリガースイッチ１５から指を放してオフ操作をすることにより、トリガースイッチ１５とスイッチ本体１６との電気的な接続が解除され、バッテリパック６１からモータ３１への電力供給が停止されてモータ３１が停止し、上述した動力伝達機構も停止することとなる。
【００４２】
以上、本発明の好適な実施形態について説明したが、本発明の技術的範囲は上記実施形態に記載の範囲には限定されない。上記実施形態には、多様な変更又は改良を加えることが可能である。
【００４３】
例えば、図１０に示すように、バッテリパック６１を覆うように着脱自在に設けられるとともに耐熱性を備えるバッテリカバー１６３は、突起部１６５がバッテリカバー１６１から突出して形成されることとすることができる。このような構成により、例えば、充電式研磨機１０が横置きされたときに、突起部１６５の作用によってバッテリカバー１６３と載置面との間には隙間が形成されることとなる。かかる突起部１６５の作用によって、バッテリカバー１６３と載置面は、面接触することがない。
【００４４】
また、上述した実施形態では、先端工具５５として研磨パッドを用いているが、本発明の適用範囲はこれに限定されるものではない。
【００４５】
また例えば、本発明の充電式電動工具は、上述した実施形態で例示したバッテリパック６１の設置場所を変更することができる。ここで、本実施形態に係る充電式研磨機１０の変形例について、図１１および図１２を用いて、説明する。ここで、図１１は、第一の変形例に係る充電式電動工具の外観を示す図であり、図１１中の分図（ａ）は、第一の変形例に係る充電式電動工具の外観を示す平面図であり、図１１中の分図（ｂ）は、第一の変形例に係る充電式電動工具の外観を示す側面図である。また、図１２は、第二の変形例に係る充電式電動工具の外観を示す図であり、図１２中の分図（ａ）は、第二の変形例に係る充電式電動工具の外観を示す平面図であり、図１２中の分図（ｂ）は、第二の変形例に係る充電式電動工具の外観を示す側面図である。なお、上述した実施形態と同一又は類似する構成については、同一符号を付して、説明を省略する場合がある。
【００４６】
［第一の変形例に係る充電式電動工具１００］
第一の変形例に係る充電式電動工具１００は、駆動源となるモータ３１を収納するハウジング１１１と、操作者からの把持を受けるためのメインハンドル１３と、モータ３１からの駆動力によって駆動される平板状の先端工具５５を取付けるための先端工具取付け部５０と、装着時においてモータ３１に対する駆動電力の供給を行うバッテリパック６１と、を有して構成される。
【００４７】
第一の変形例に係る充電式電動工具１００は、バッテリパック６１を当該充電式電動工具１００のメインハンドル１３の延長方向に対して直交する方向に向けて（より具体的には、図１１中の分図（ａ）における紙面上側から紙面下側に向けて）スライドして装着するように構成されている。
【００４８】
ここで、第一の変形例に係る充電式電動工具１００は、上述した実施形態と同様に、バッテリパック６１の装着時・取り外し時のいずれの場合であっても、先端工具５５が下側になるように水平面に載置したときに、当該充電式電動工具１００がバランスを崩すことなく自立することができるようになっている。したがって、第一の変形例に係る充電式電動工具１００の操作者が、例えば加工作業中に当該充電式電動工具１００から手を離してしまった場合であっても、当該充電式電動工具１００は自立することができるようになっている。また、第一の変形例に係る充電式電動工具１００は、モータ軸３２の延長線上にバッテリパック６１が配置されていることによって、当該充電式電動工具１００の操作者がワークの加工作業を行うときに、操作者は先端工具５５をワークに押し付け易いようになっており、安定して加工作業を行うことができるようになっている。すなわち、第一の変形例に係る充電式電動工具１００は、上述した実施形態と同様に、容易に安定して当該充電式電動工具１００を下に（ワーク側に）押し付けることができるように設計されている。
【００４９】
上述した実施形態と同様に、第一の変形例に係る充電式電動工具１００には、ハウジング１１１に対して着脱自在に設けられる補助ハンドル２１を設置することができるようになっている。また、バッテリパック６１は、着脱自在に設けられるとともに耐熱性を備えるバッテリカバー６３で覆われることとすることができる。バッテリパック６１が耐熱性を備えるバッテリカバー６３によって覆われることによって、バッテリパック６１が例えば高熱のワークに接触することを防ぐことができるようになる。したがって、第一の変形例に係る充電式電動工具１００によれば、例えば高熱のワークであっても、安全に加工作業をすることができるようになっている。
【００５０】
［第二の変形例に係る充電式電動工具２００］
第二の変形例に係る充電式電動工具２００は、駆動源となるモータ３１を収納するハウジング２１１と、操作者からの把持を受けるためのメインハンドル１３と、モータ３１からの駆動力によって駆動される平板状の先端工具５５を取付けるための先端工具取付け部５０と、ハウジング２１１における先端工具５５（不図示）の設置側とは逆側に、装着時においてモータ３１に対する駆動電力の供給を行うバッテリパック（不図示）を装着するためのバッテリパック装着部２１１ａと、を有して構成される。
【００５１】
第二の変形例に係る充電式電動工具２００は、図５に示したバッテリパック６１をバッテリパック装着部２１１ａに対して、メインハンドル１３の延長方向に対して斜め方向に向けて（より具体的には、図１２中の分図（ｂ）における紙面右斜め上側から紙面左斜め下側に向けて）スライドさせて装着することができるようになっている。
【００５２】
第二の変形例に係る充電式電動工具２００は、上述した実施形態と同様に、バッテリパック６１の装着時・取り外し時のいずれの場合であっても、先端工具５５が下側になるように水平面に載置したときに、当該充電式電動工具２００がバランスを崩すことなく自立することができるようになっている。したがって、第二の変形例に係る充電式電動工具２００の操作者が、例えば加工作業中に当該充電式電動工具１００から手を離してしまった場合であっても、当該充電式電動工具２００は自立することができるようになっている。また、第二の変形例に係る充電式電動工具２００は、モータ軸３２の延長線上にバッテリパック６１が配置されていることによって、当該充電式電動工具２００の操作者がワークの加工作業を行うときに、操作者は先端工具５５をワークに押し付け易いようになっており、安定して加工作業を行うことができるようになっている。すなわち、第二の変形例に係る充電式電動工具２００は、上述した実施形態と同様に、容易に安定して当該充電式電動工具２００を下に（ワーク側に）押し付けることができるように設計されている。
【００５３】
上述した実施形態と同様に、第二の変形例に係る充電式電動工具２００には、ハウジング２１１に対して着脱自在に設けられる補助ハンドル２１を設置することができるようになっている。また、バッテリパック６１は、着脱自在に設けられるとともに耐熱性を備えるバッテリカバー６３で覆われることとすることができる。バッテリパック６１が耐熱性を備えるバッテリカバー６３によって覆われることによって、バッテリパック６１が例えば高熱のワークに直接的に接触することを防ぐことができるようになる。したがって、第二の変形例に係る充電式電動工具２００によれば、例えば高熱のワークであっても、安全に加工作業をすることができるようになっている。
【００５４】
以上、変形例に係る充電式電動工具１００，２００について、説明した。なお、本実施形態に係る充電式研磨機１０や、第一又は第二の変形例に係る充電式電動工具１００，２００については、例えば、お好み焼きやたこ焼きなどの調理に用いられる熱せられた鉄板を掃除とうする際に、好適に用いることができるであろう。ただし、本発明に係る充電式電動工具については、研磨作業等を行うあらゆる用途、例えば自動車のボディーの清掃やワックス掛け等といった用途に好適に用いることができる。その様な変更又は改良を加えた形態も本発明の技術的範囲に含まれ得ることが、特許請求の範囲の記載から明らかである。
【符号の説明】
【００５５】
１０  充電式研磨機、１００，２００  充電式電動工具、１１，１１１，２１１  ハウジング、１３  メインハンドル、１５  トリガースイッチ、１６  スイッチ本体、１７  吸引口、１９  排出口、２１  補助ハンドル、２２  把持部、２３  ネジ、２４  ネジ軸、２５  ベルト部、２７  押圧部、３１  モータ、３２  モータ軸、３３ａ，３３ｂ  （モータ軸の）軸受、３４  冷却ファン、３５  遊星歯車機構、３９  回転体、４０  （回転体の）軸受、４１  ギアケース、５０  先端工具取付け部、５５  先端工具、５６  ビット、６１  バッテリパック、６３，１６３  バッテリカバー、６５，１６５  突起部、２１１ａ  バッテリパック装着部。
【図１】
2016215348.tif 000003
【図２】
2016215348.tif 000004
【図３】
2016215348.tif 000005
【図４】
2016215348.tif 000006
【図５】
2016215348.tif 000007
【図６】
2016215348.tif 000008
【図７】
2016215348.tif 000009
【図８】
2016215348.tif 000010
【図９】
2016215348.tif 000011
【図１０】
2016215348.tif 000012
【図１１】
2016215348.tif 000013
【図１２】
2016215348.tif 000014